【手続補正書】
【提出日】平成15年10月16日(2003.10.16)
【手続補正１】
【補正対象書類名】明細書
【補正対象項目名】特許請求の範囲
【補正方法】変更
【補正の内容】
【特許請求の範囲】
【請求項１】
本体と、
液晶表示装置およびこの液晶表示装置を収容するディスプレイハウジングを有するディスプレイユニットと、
上記本体と上記ディスプレイユニットとを回動可能に連結するヒンジ機構と、を具備し、
上記ディスプレイハウジングは、上記液晶表示装置の背後に位置する底壁と、上記液晶表示装置を取り囲む周壁とを有するとともに、上記ヒンジ機構は、上記ディスプレイハウジングの内部に導入されたブラケットを有し、上記ブラケットは上記液晶表示装置と上記底壁との間に介在される第１の部分と、上記液晶表示装置と上記周壁との間に介在される第２の部分とを含み、上記ブラケットの第２の部分が上記周壁を貫通する取付けねじを介して上記ディスプレイハウジングに固定されていることを特徴とする携帯形機器。
【請求項２】
本体と、
液晶表示装置およびこの液晶表示装置を収容するディスプレイハウジングを有するディスプレイユニットと、
上記本体と上記ディスプレイユニットとを回動可能に連結するヒンジ機構と、を具備し、
上記ディスプレイハウジングは、上記液晶表示装置の背後に位置する底壁と、上記液晶表示装置を取り囲む周壁とを有するとともに、上記ヒンジ機構は、上記ディスプレイハウジングの内部に導入されたブラケットを有し、上記ブラケットは上記ディスプレイハウジングの底壁に固定される第１の部分と、上記ハウジングの周壁に固定される第２の部分とを備えていることを特徴とする携帯形機器。
【請求項３】
請求項１又は請求項２の記載において、上記液晶表示装置は、上記ブラケットに固定されていることを特徴とする携帯形機器。
【請求項４】
請求項１ないし請求項３のいずれかの記載において、上記ヒンジ機構は、上記本体と上記ディスプレイハウジングとの間に跨るヒンジ軸と、このヒンジ軸の一端に連結されるとともに上記本体の内面に固定された第１のヒンジブラケットと、上記ヒンジ軸の他端に連結されるとともに上記ディスプレイハウジングの内面に固定された第２のヒンジブラケットとを有し、上記ブラケットは、上記第２のヒンジブラケットに一体に設けられていることを特徴とする携帯形機器。
【請求項５】
本体と、
液晶表示装置と、この液晶表示装置の背後に位置する底壁および上記液晶表示装置を取り囲む周壁を有するディスプレイハウジングとを含み、上記本体に回動可能に連結されたディスプレイユニットと、
上記ディスプレイハウジングの内部に設けられ、上記液晶表示装置と上記ディスプレイハウジングの底壁との間に介在された第１の部分と、上記液晶表示装置と上記ディスプレイハウジングの周壁との間に介在された第２の部分とを有するブラケットと、
上記ディスプレイハウジングの周壁を貫通し、上記ディスプレイハウジングと上記ブラケットの第１の部分とを互いに連結する取付けねじと、
上記ディスプレイハウジングと上記液晶表示装置とを互いに連結する他の取付けねじと、を具備したことを特徴とする携帯形機器。
【請求項６】
本体と、
液晶表示装置と、この液晶表示装置の背後に位置する底壁および上記液晶表示装置を取り囲む周壁を有するディスプレイハウジングとを含み、上記本体にヒンジ機構を介して回動可能に連結されたディスプレイユニットと、
上記ディスプレイハウジングの内部に設けられ、上記液晶表示装置と上記ディスプレイハウジングの底壁との間に介在された第１の部分と、上記液晶表示装置と上記ディスプレイハウジングの周壁との間に介在された第２の部分とを有するブラケットと、
上記ディスプレイハウジングの周壁を貫通し、上記ディスプレイハウジングと上記ブラケットの第１の部分とを互いに連結する取付けねじと、
上記ディスプレイハウジング、上記ブラケットおよび上記液晶表示装置を互いに連結する他の取付けねじと、を具備したことを特徴とする携帯形機器。
【請求項７】
請求項６の記載において、上記液晶表示装置は、表示パネルと、この表示パネルを支持するフレームとを有し、上記他の取付けねじは上記フレームを上記ディスプレイハウジングおよび上記ブラケットに固定していることを特徴とする携帯形機器。
【請求項８】
請求項１、請求項２、請求項５および請求項６のいずれかの記載において、上記ブラケットは、上記液晶表示装置の左端部と右端部に左右対称的に設けられているとともに、上記液晶表示装置の高さ方向に沿う全長に亘って設けられていることを特徴とする携帯形機器。
【請求項９】
請求項１、請求項２、請求項５および請求項６のいずれかの記載において、上記ディスプレイハウジングは上記底壁を有するリヤパネルと、このリヤパネルに連結されたフロントパネルとを有し、上記ブラケットの第２の部分は上記リヤパネルに固定されていることを特徴とする携帯形機器。
【請求項１０】
請求項１、請求項２、請求項５および請求項６のいずれかの記載において、上記ディスプレイハウジングは導電性を有し、このディスプレイハウジングと上記ブラケットとは金属製のアースばねを介して電気的に導通されていることを特徴とする携帯形機器。
【手続補正２】
【補正対象書類名】明細書
【補正対象項目名】０００２
【補正方法】変更
【補正の内容】
【０００２】
【従来の技術】
ポータブルコンピュータのような携帯形機器は、キーボードを有するコンピュータ本体と、液晶表示装置を内蔵したディスプレイユニットとを備えている。ディスプレイユニットは、ヒンジ機構を介して前記コンピュータ本体に支持されており、前記キーボードを上方から覆う閉じ位置と、このキーボードの後方において起立する開き位置とに亘って回動可能となっている。


【手続補正３】
【補正対象書類名】明細書
【補正対象項目名】０００３
【補正方法】変更
【補正の内容】
【０００３】
ディスプレイユニットは、液晶表示装置を収容する合成樹脂製のディスプレイハウジングを備えている。ディスプレイハウジングは、液晶表示装置よりも僅かに大きいサイズの底壁と、この底壁の外周縁から立ち上がる周壁とを有する偏平な箱状であり、底壁にはねじ穴を有する複数のボスが突設されている。液晶表示装置の周縁部には前記ボスに対応して取付け孔が設けられ、液晶表示装置側から締付けねじを前記ねじ穴にねじ込むことにより、液晶表示装置をディスプレイハウジングに固定している。


【手続補正４】
【補正対象書類名】明細書
【補正対象項目名】０００４
【補正方法】変更
【補正の内容】
【０００４】
【発明が解決しようとする課題】
最近のポータブルコンピュータあるいはワードプロセッサのような携帯形機器は、薄形、軽量化を図るためにディスプレイハウジングが薄肉に形成されている。これに対し、液晶表示装置は画面を見易いように大型化される傾向にあり、ディスプレイハウジングと略同一サイズに形成されている。それにも拘わらず、液晶表示装置はその周縁部をディスプレイハウジングの底壁から突出するボスに締付ねじによって固定しているにすぎない。
【手続補正５】
【補正対象書類名】明細書
【補正対象項目名】０００５
【補正方法】変更
【補正の内容】
【０００５】
したがって、コンピュータ本体に支持されたディスプレイハウジングを閉じ位置と開き位置との間で回動させると、ディスプレイハウジングの強度不足に伴って液晶表示装置が撓んだり、反りが生じることがある。この結果、液晶表示装置の画面に色むらや縞ができてしまうという問題がある。


【手続補正６】
【補正対象書類名】明細書
【補正対象項目名】０００６
【補正方法】変更
【補正の内容】
【０００６】
この発明は、前記事情に着目してなされたもので、その目的とするところは、ディスプレイハウジングに液晶表示装置を強固に固定でき、液晶表示装置の撓みや反りを防止できる携帯形機器を提供することにある。


【手続補正７】
【補正対象書類名】明細書
【補正対象項目名】０００７
【補正方法】変更
【補正の内容】
【０００７】
【課題を解決するための手段】
前記目的を達成するため、本発明の一つの形態に係る携帯形機器は、
本体と、
液晶表示装置およびこの液晶表示装置を収容するディスプレイハウジングを有するディスプレイユニットと、
上記本体と上記ディスプレイユニットとを回動可能に連結するヒンジ機構とを備えている。
上記ディスプレイハウジングは、上記液晶表示装置の背後に位置する底壁と、上記液晶表示装置を取り囲む周壁とを有するとともに、上記ヒンジ機構は、上記ディスプレイハウジングの内部に導入されたブラケットを有し、上記ブラケットは上記液晶表示装置と上記底壁との間に介在される第１の部分と、上記液晶表示装置と上記周壁との間に介在される第２の部分とを含み、上記ブラケットの第２の部分が上記周壁を貫通する取付けねじを介して上記ディスプレイハウジングに固定されていることを特徴としている。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】変更
【補正の内容】
【００１０】
この構成によれば、ブラケットで補強されたディスプレイハウジングに液晶表示装置を強固に固定することができ、ディスプレイユニットの回動時の液晶表示装置の変形を防止できる。
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】変更
【補正の内容】
【００１２】
【発明の実施の形態】
以下、この発明の実施の形態を図面に基づいて説明する。
図１〜図１０はポータブルコンピュータに適用した第１の実施形態を示し、図１はＡ４サイズのブック形のポータブルコンピュータの斜視図、図２は同一部を切欠した斜視図、図３は同ディスプレイハウジングを示し、（ａ）は正面図、（ｂ）は側面図である。
携帯形機器としてのポータブルコンピュータ１は、コンピュータ本体２と、このコンピュータ本体２に支持されたディスプレイユニット３とを備えている。


【手続補正１３】
【補正対象書類名】明細書
【補正対象項目名】００１４
【補正方法】変更
【補正の内容】
【００１４】
本体ハウジング４の内部には、回路基板やハードディスク駆動装置（いずれも図示せず）が収容されているとともに、本体ハウジング４の上壁５ｂには、キーボード６やクリックスイッチボタン７ａ，７ｂが配置されている。さらに、上壁５ｂの後端部には中空の凸部８が形成されている。


【手続補正１４】
【補正対象書類名】明細書
【補正対象項目名】００１５
【補正方法】変更
【補正の内容】
【００１５】
前記ディスプレイユニット３は、ディスプレイハウジング１０と、このディスプレイハウジング１０に収容された液晶表示装置１１とを備えている。液晶表示装置１１は、表示画面を有する表示パネル１１ａと、この表示パネル１１ａを支持するフレーム１１ｂとを有している。ディスプレイハウジング１０は、リヤパネル１２と、このリヤパネル１２に連結されたフロントパネル１３とで構成され、全体として偏平な箱状をなしている。


【手続補正１５】
【補正対象書類名】明細書
【補正対象項目名】００１７
【補正方法】変更
【補正の内容】
【００１７】
フロントパネル１３は、前壁１６と、この前壁１６の周縁に連なる周壁１７とを有している。前壁１６は、底壁１４と向かい合っている。この前壁１６には、開口部１８が形成されている。この開口部１８は、前壁１６の略全面に亘るような大きさを有している。周壁１７は、リヤパネル１２の周壁１５に突き合わされており、この周壁１５と協働してディスプレイハウジング１０の四つの周面を構成している。


【手続補正１６】
【補正対象書類名】明細書
【補正対象項目名】００１８
【補正方法】変更
【補正の内容】
【００１８】
ディスプレイハウジング１０の周壁１５の下縁部は、リヤパネル１２とフロントパネル１３とによって中空部１９に形成され、この中空部１９には本体ハウジング４の凸部８に嵌合する凹部２０が設けられている。さらに、中空部１９の左右両端部には本体ハウジング４に対してディスプレイハウジング１０を回動自在に枢支する第１および第２のヒンジ機構２１，２２が設けられている。


【手続補正１７】
【補正対象書類名】明細書
【補正対象項目名】００１９
【補正方法】変更
【補正の内容】
【００１９】
まず、第１のヒンジ機構２１について説明すると、図４〜図８に示すように、本体ハウジング４の上壁５ｂの後端部に位置する左側部には嵌合凹部２３が設けられ、この嵌合凹部２３にディスプレイハウジング１０の周壁１５の下縁部に設けられた嵌合凸部２４が嵌合されている。嵌合凹部２３の側壁２３ａと嵌合凸部２４の側壁２４ａとは対向しており、この対向する夫々の側壁２３ａ，２４ａに貫通孔２３ｂ，２４ｂが穿設されている。


【手続補正１８】
【補正対象書類名】明細書
【補正対象項目名】００２２
【補正方法】変更
【補正の内容】
【００２２】
さらに、第２のヒンジブラケット２７は、第１の板面２７ａに対して直角に折曲された第３の板面２７ｃを有している。第３の板面２７ｃはディスプレイハウジング１０のリヤパネル１２の内部に延長し、前記液晶表示装置１１を固定するための第１のブラケット２９ａを構成している。


【手続補正１９】
【補正対象書類名】明細書
【補正対象項目名】００２７
【補正方法】変更
【補正の内容】
【００２７】
また、第１、第２のブラケット２９ａ，２９ｂの各取付け部３３の近傍に位置する立上がり部３２にはねじ穴３６が設けられ、これらねじ穴３６に対向するリヤパネル１２の周壁１５には、外面側に凹部３７、内面側に凸部３８となる固定部３９が一体に成形され、凹部３７の底部にはねじ穴３６に対向する貫通孔３９が穿設されている。
さらに、凸部３８の内側にはリヤパネル１２の底壁１４から突出する支持片４０が設けられ、凸部３８と支持片４０との間に前記第１、第２のブラケット２９ａ，２９ｂの立上がり部３２が介在されている。そして、凹部３７側から取付けねじ４１を貫通孔３９に挿通し、ねじ穴３６にねじ込むことにより、第１、第２のブラケット２９ａ，２９ｂがリヤパネル１２の周壁１５に固定されている。


【手続補正２０】
【補正対象書類名】明細書
【補正対象項目名】００２９
【補正方法】変更
【補正の内容】
【００２９】
上板４３ａには下側に切り起した例えば３個の係合片４４が等間隔に設けられ、下板４３ｂには下側に切り起した多数の弾性片４５が等間隔に設けられている。そして、このアースばね４３は下板４３ｂを第１、第２のブラケット２９ａ，２９ｂの底面部３１の下面とリヤパネル１２の底壁１４との間の間隙４２に差し込むことで、上板４３ａが第１、第２のブラケット２９ａ，２９ｂの上面に重なるようになっている。第１、第２のブラケット２９ａ，２９ｂには係合片４４に弾性的に係合する複数の角孔４６が穿設されている。


【手続補正２１】
【補正対象書類名】明細書
【補正対象項目名】００３０
【補正方法】変更
【補正の内容】
【００３０】
このようにアースばね４３を第１、第２のブラケット２９ａ，２９ｂに差し込むことにより、多数の弾性片４５がリヤパネル１２の底壁１４に弾性的に圧接状態となる。リヤパネル１２の底壁１４の内面には液晶表示装置１１を磁気シールドするための導電層１４ａが形成されており、この導電層１４ａと第１、第２のブラケット２９ａ，２９ｂとがアースばね４３を介して導通されることになる。


【手続補正２２】
【補正対象書類名】明細書
【補正対象項目名】００３２
【補正方法】変更
【補正の内容】
【００３２】
前記液晶表示装置１１をリヤパネル１２に固定する取付けねじ４７の頭部は、前記フロントパネル１３の前壁１６によって覆い隠されている。
【手続補正２３】
【補正対象書類名】明細書
【補正対象項目名】００３５
【補正方法】変更
【補正の内容】
【００３５】
また、第１、第２のブラケット２９ａ，２９ｂに液晶表示装置１１の両側縁を固定することにより、リヤパネル１２の周壁１５の近傍に位置する底壁１４にボスを収めるための無駄なスペースを確保する必要はなく、液晶表示装置１１の一側部と周壁１５との間のデッドスペースを極力狭めることができる。
したがって、ディスプレイハウジング１０を大型化することなく、このディスプレイハウジング１０の内部の実装スペースを幅方向に広げることができる。よって、液晶表示装置１１ひいては表示パネル１１ａの大型化が可能となり、表示パネル１１ａの画面の視認性を向上できる。


【手続補正２４】
【補正対象書類名】明細書
【補正対象項目名】００３６
【補正方法】変更
【補正の内容】
【００３６】
なお、前記実施形態によれば、第１、第２のヒンジ機構２１，２２を構成する第２のヒンジブラケット２７に第１、第２のブラケット２９ａ，２９ｂを一体に設け、これら第１、第２のブラケット２９ａ，２９ｂに液晶表示装置１１の左右両側部を固定したが、ディスプレイハウジング１０の下縁部および上縁部にも第１、第２のブラケット２９ａ，２９ｂから延びる延長部を設けてもよい。このように構成することにより、ディスプレイハウジング１０の補強強度が増し、また液晶表示装置１１を一層強固に固定できる。


【手続補正２５】
【補正対象書類名】明細書
【補正対象項目名】００３８
【補正方法】変更
【補正の内容】
【００３８】
【発明の効果】
以上詳述した本発明によれば、ディスプレイハウジングに液晶表示装置を強固に固定でき、ディスプレイユニットを回動させた時の液晶表示装置の撓みや反りを防止することができる。
【手続補正２６】
【補正対象書類名】明細書
【補正対象項目名】００３９
【補正方法】削除
【補正の内容】
【手続補正２７】
【補正対象書類名】明細書
【補正対象項目名】図９
【補正方法】変更
【補正の内容】
【図９】（ａ）は図８のＤ−Ｄ線に沿う断面図、（ｂ）は図８のＦ−Ｆ線に沿う断面図、（ｃ）は図８のＥ−Ｅ線に沿う断面図。


【手続補正２８】
【補正対象書類名】明細書
【補正対象項目名】符号の説明
【補正方法】変更
【補正の内容】
【符号の説明】
２…本体（コンピュータ本体）、５ａ…底壁、５ｃ…周壁、１０…ディスプレイハウジング、１１…液晶表示装置、２１，２２…ヒンジ機構（第１、第２のヒンジ機構）、２９ａ，２９ｂ…ブラケット（第１、第２のブラケット）、３１…第１の部分（底面部）、３２…第２の部分（立上がり部）、４１，４７…取付けねじ。
【手続補正２９】
【補正対象書類名】図面
【補正対象項目名】図１
【補正方法】変更
【補正の内容】
【図１】
1998124171.tif 000001
【手続補正３０】
【補正対象書類名】図面
【補正対象項目名】図３
【補正方法】変更
【補正の内容】
【図３】
1998124171.tif 000002
【手続補正３１】
【補正対象書類名】図面
【補正対象項目名】図４
【補正方法】変更
【補正の内容】
【図４】
1998124171.tif 000003
【手続補正３２】
【補正対象書類名】図面
【補正対象項目名】図５
【補正方法】変更
【補正の内容】
【図５】
1998124171.tif 000004
【手続補正３３】
【補正対象書類名】図面
【補正対象項目名】図６
【補正方法】変更
【補正の内容】
【図６】
1998124171.tif 000005
【手続補正３４】
【補正対象書類名】図面
【補正対象項目名】図７
【補正方法】変更
【補正の内容】
【図７】
1998124171.tif 000006
【手続補正３５】
【補正対象書類名】図面
【補正対象項目名】図８
【補正方法】変更
【補正の内容】
【図８】
1998124171.tif 000007
【手続補正３６】
【補正対象書類名】図面
【補正対象項目名】図９
【補正方法】変更
【補正の内容】
【図９】
1998124171.tif 000008